(57)【特許請求の範囲】
【請求項１】
筐体の上部に、天板が固定されるこんろにおいて、
前記天板は、
バーナを挿通させるバーナ開口を有する平面部と、
前記平面部よりも後方に設けられ、前記天板の後方に向かうにつれて上る上り面部と、
前記上り面部の後端から前記天板の後端にかけて下る下り面部と
を備え、
前記平面部と前記上り面部との接続部は、円弧状に形成されており、
前記下り面部の上面に対して下方に窪んだ部位に、前記天板を前記筐体の前記上部に固定するための固定部が設けられていること
を特徴とするこんろ。
【請求項２】
前記固定部は、前記下り面部の少なくとも左右の端部のそれぞれに設けられていることを特徴とする請求項１に記載のこんろ。
【請求項３】
前記上り面部の前後方向の長さは、前記下り面部の前後方向の長さよりも長いことを特徴とする請求項１又は２に記載のこんろ。
【請求項４】
前記上り面部は、前記上り面部の前部から後部に向かうにつれて、前記平面部に対する傾斜角が大きくなるように形成されていることを特徴とする請求項１から３のいずれかに記載のこんろ。
【発明の詳細な説明】
【技術分野】
【０００１】
本発明は、バーナ等が配される筐体上部に天板を備えたこんろに関する。
【背景技術】
【０００２】
従来、バーナ等が配される筐体上部に天板を備えたこんろが知られている。特許文献１に開示されたグリル付きガスこんろは、上部にこんろ部を、下部にグリル部をそれぞれ備え、こんろ部の上面は、略正方形のトッププレートにより覆われている。こんろ部には、二つのこんろバーナが、トッププレートの対角線上に並ぶように設けられている。トッププレートは、その対角線上に設けられた二つの開口部のそれぞれから、こんろバーナの炎孔部をトッププレート上に突出させている。これにより、例えばこんろバーナを横一列に並べて配置する場合に比較して、こんろ本体及びトッププレートの横幅寸法が小さくされる。
【先行技術文献】
【特許文献】
【０００３】
【特許文献１】特開２００９−１８０４００号公報
【発明の概要】
【発明が解決しようとする課題】
【０００４】
このようなトッププレートには、トッププレートをこんろ本体に固定するためのねじ孔等の固定部が設けられることがある。特に、板金製のトッププレートを用いる場合、加熱調理等による熱の影響でトッププレートが変形することを防止するため、トッププレートをこんろ本体に固定する必要がある。固定部が、何らの工夫もなくトッププレートに設けられると、使用者の視線から固定部及び固定部に設けられるねじ等を隠すことができず、こんろの美観が損なわれる可能性があるといった問題点がある。
【０００５】
本発明はこのような問題点を解決するためになされたものであり、天板に固定部を設けても、美観が損なわれることを防止できるこんろを提供することを目的とする。
【課題を解決するための手段】
【０００６】
本発明の請求項１に係るこんろは、筐体の上部に、天板が固定されるこんろにおいて、前記天板は、バーナを挿通させるバーナ開口を有する平面部と、前記平面部よりも後方に設けられ、前記天板の後方に向かうにつれて上る上り面部と、前記上り面部の後端から前記天板の後端にかけて下る下り面部とを備え、前記平面部と前記上り面部との接続部は、円弧状に形成されており、前記下り面部の上面に対して下方に窪んだ部位に、前記天板を前記筐体の前記上部に固定するための固定部が設けられていることを特徴とする。
【０００７】
請求項２に係るこんろは、請求項１に記載の構成に加えて、前記固定部は、前記下り面部の少なくとも左右の端部のそれぞれに設けられていることを特徴とする。
【０００８】
請求項３に係るこんろは、請求項１又は２に記載の構成に加えて、前記上り面部の前後方向の長さは、前記下り面部の前後方向の長さよりも長いことを特徴とする。
【０００９】
請求項４に係るこんろは、請求項１から３のいずれかに記載の構成に加えて、前記上り面部は、前記上り面部の前部から後部に向かうにつれて、前記平面部に対する傾斜角が大きくなるように形成されていることを特徴とする。
【発明の効果】
【００１０】
請求項１に係るこんろでは、天板が、平面部、上り面部及び下り面部を備えている。上り面部は、平面部よりも後方において、天板の後方に向かうほど上っている。また、上り面部の更に後方に、上り面部の後端と天板の後端とをつなぐ下り面部が設けられている。平面部と上り面部との接続部は、円弧状に形成されているので、上り面部が平面部に連続してこんろの後方に向けて広がっている印象が強められる。このため、前方からこんろに対峙して、主にバーナ開口を含む平面部を意識してこんろを使用する使用者の視線において、下り面部は、上り面部の後側に隠れ、使用者から見えにくい部分となる。このような使用者の視界に入りにくい下り面部において、その上面に対して下方に窪んだ部位に固定部が設けられているので、固定部の存在が使用者に気づかれにくくなる。したがって、請求項１に係るこんろは、天板に固定部を設けても、美観が損なわれることを防止できる。
【００１１】
請求項２に係るこんろは、請求項１に記載の発明の効果に加えて、下り面部における少なくとも左右の端部のそれぞれに固定部を設けているので、天板の平面部を主に注視してこんろを使用する使用者に、固定部の存在を更に気づかせにくくできる。また、固定部が天板の後端部である下り面部の左右の端部に少なくとも設けられることで、バーナからの熱を受けて天板が変形することが効果的に抑制されるので、こんろの安全性が保たれる。
【００１２】
請求項３に係るこんろは、請求項１又は２に記載の発明の効果に加えて、上り面部の前後方向の長さが、下り面部の前後方向の長さよりも長くされるので、下り面部よりも上り面部が、使用者の視界において、より大きく入りやすくなる。この結果、上り面部に対して下り面部が使用者から視認されにくくなるので、下り面部に設けられた固定部の存在を、使用者に意識させにくくできる。したがって、固定部によってこんろの美観が低下することが防止される。
【００１３】
請求項４に係るこんろは、請求項１から３のいずれかに記載の発明の効果に加えて、上り面部が前部から後部に向かうにつれて、平面部に対する勾配が大きくなるように形成されるので、後方になだらかに延びる上り面部の形状に、使用者の意識が集まりやすくなる。また、上り面部の後部が天板の平面部に対して最も高さを有する部分となるので、上り面部よりも後方に配置される下り面部及び下り面部に設けられる固定部が、上り面部よりも目立ちにくくなる。したがって、上り面部の形状によってこんろの美観が高められるとともに、固定部によってこんろの美観が低下されることが防止される。
【図面の簡単な説明】
【００１４】
【図１】こんろ１の斜視図である。
【図２】トッププレート３の平面図である。
【図３】図２に示すＩ−Ｉ線矢視方向断面図である。
【図４】トッププレート３を右斜め後方から見た斜視図である。
【図５】図３における上り面部３５、下り面部３６及びその近傍の拡大図である。
【図６】こんろ１が使用者１００によって使用される場面を示す説明図である。
【図７】変形例における上り面部３５、下り面部３６及びその近傍の拡大図である。
【発明を実施するための形態】
【００１５】
以下、本発明の実施形態について、図面を参照して説明する。以下説明は、図中に矢印で示す上下、左右、前後を使用する。本実施形態のガスこんろ１（以下、単に、こんろ１と称する。）は、例えば、少人数世帯用の比較的小さなキッチン台のキャビネット１０１（図６参照）等に組み込まれるビルトインこんろである。なお、こんろ１は、テーブル等に載置されるテーブルこんろであってもよい。
【００１６】
図１を参照して、こんろ１の外観構造について説明する。こんろ１は、器具本体を構成する筐体２を備える。筐体２は、上面に開口部（図示せず）を備え、略直方体状に形成された金属製である。
【００１７】
筐体２の上部には、上面の開口部を閉塞するようにトッププレート３が固定されている。図示しないが、トッププレート３の前縁には、後方に向けて折り返された折返し部が形成されている。また、筐体２の開口部の前端側における複数の所定位置には、トッププレート３の折返し部に係合可能な係合部が設けられており、トッププレート３の折返し部と、筐体２の係合部とが係合することで、トッププレート３の前端部が筐体２に対して固定される。また、トッププレート３の後端部には、後述する二つの固定部３９（図２参照）が設けられている。固定部３９において所定のねじ（図示せず）を用いて筐体２の開口部の後端側にねじ止めされることで、トッププレート３の後端部が筐体２に対して固定される。トッププレート３には、略円形のバーナ開口４１，４２が形成されている。トッププレート３が筐体２の上部に固定されることで、左バーナ５がバーナ開口４１を介して、右バーナ７がバーナ開口４２を介して、それぞれ筐体２側からトッププレート３の上方に向けて突出して設けられる。左バーナ５及び右バーナ７の各周囲には、五徳６，８がそれぞれ配置されている。五徳６は、五徳８よりもひとまわり大きく形成されている。五徳６，８の各上部には、鍋、フライパン等を含む調理器具等の被加熱物（図示せず）が載置される。
【００１８】
本実施形態において、左バーナ５はガスバーナであり、筐体２の内部に配置されたバーナ本体（図示せず）と、バーナヘッド５１とを主に備える。バーナ本体の上部にバーナヘッド５１が載置されることで、バーナヘッド５１の外周部に多数の炎口５２が形成される。バーナヘッド５１の中央には、内部にサーミスタを格納し、鍋底温度等、被加熱物の温度を検知するための鍋センサ５３が、バーナヘッド５１の中央を貫通するように設けられている。バーナヘッド５１前方の炎口５２近傍には、放電による点火を行うための点火電極５４及び火炎の有無を検知するための熱電対５５が設けられている。バーナヘッド５１、炎口５２、鍋センサ５３、点火電極５４及び熱電対５５は、トッププレート３よりも上方に配置されている。また、ガスバーナである右バーナ７は、左バーナ５と同様に、バーナヘッド７１、炎口７２、鍋センサ７３、点火電極７４及び熱電対７５を備えている。なお、右バーナ７においては、バーナヘッド７１の前方に点火電極７４が、バーナヘッド７１の右方に熱電対７５が、それぞれ炎口７２の近傍に設けられている。
【００１９】
本実施形態において、左バーナ５は、右バーナ７よりも大型のガスバーナである。左バーナ５は、トッププレート３の左前部に配置される。右バーナ７は、トッププレート３において、左バーナ５の右斜め後側に配置される。これにより、例えば、左バーナ５及び右バーナ７を左右に並べて配置するよりも、こんろ１の左右方向における寸法が小さくされている。左バーナ５は右バーナ７よりも大型であり、左バーナ５は右バーナ７よりも大きな火力を発揮できる。このような火力の大きい左バーナ５が、右バーナ７よりも前側に配置されているので、こんろ１の使い勝手が向上される。なお、左バーナ５及び右バーナ７が同じ大きさのガスバーナであってもよいし、右バーナ７が左バーナ５よりも大型に形成されていてもよい。また、左バーナ５及び右バーナ７の配置及びガスバーナの個数は、適宜変更されてもよい。
【００２０】
トッププレート３の右前部には、側面視で山形に隆起するように形成された隆起部３３が設けられている。隆起部３３は、前側から後方に向けて斜め上方に延びる斜面３３Ａと、斜面３３Ａの上端から後方に向けて斜め下方に延びる斜面３３Ｂとを備える。斜面３３Ａには、点火スイッチ１１，１２等が設けられている。点火スイッチ１１は、斜面３３Ａにおいて左バーナ５に近接する側である左側部に設けられ、左バーナ５の点火、消火及び火力調節の操作を行う。点火スイッチ１２は、点火スイッチ１１の右側に設けられ、右バーナ７の点火、消火及び火力調節の操作を行う。
【００２１】
トッププレート３の後部には、前後方向に所定の長さを有して、トッププレート３の後方に向かうにつれて段階的に上る面部である上り面部３５が設けられている。上り面部３５は、前側から後方に向けて斜め上方に緩やかに傾斜している。本実施形態では、上り面部３５は、弧を描くような曲面で形成されている。上り面部３５の前部には、左右に延びる略長方形状の孔部であるグリル排気孔９Ａが、複数配列されている。グリル排気孔９Ａは、筐体２の内部に設置されるグリル庫（図示せず）と連通して、グリル庫内部の排気を行う。
【００２２】
筐体２の正面中央には、グリル扉１０が設けられている。グリル扉１０の下部には、取っ手１０Ａが前方に突出して設けられている。こんろ１の使用者１００（図６参照）は、取っ手１０Ａを把持してグリル扉１０を引き出すことで、筐体２の内部のグリル庫を開閉できる。グリル扉１０の右側には、点火スイッチ１３が設けられている。点火スイッチ１３は、グリル庫に設けられているグリルバーナ（図示せず）の点火、消火及び火力調節の操作を行う。点火スイッチ１３の下方には、電池ケース１４が設けられている。電池ケース１４は、こんろ１の電源として、例えば二つの乾電池（図示せず）を格納する。
【００２３】
図２から図４を参照して、トッププレート３の構造について説明する。図２に示すように、トッププレート３は、筐体２の上面開口部に対応する大きさの矩形状に形成されている。本実施形態では、トッププレート３の左右方向の寸法は、トッププレート３の前後方向の寸法よりも小さくされている。トッププレート３は、板金をプレス加工することで一体に形成される。トッププレート３の少なくとも上側の表面には、煮こぼれした液体等による汚れの固着を防止するため、ホーローによるコーティングが施されている。トッププレート３の上面３１における略中央には、バーナ開口４１，４２を含み、上面３１よりも一段下方に窪んだ位置で略水平に延びる部分である中央凹部３２が設けられている。中央凹部３２は、上面３１よりも下方に設けられているので、例えばこんろ１の使用において生じた煮汁等を受け止め、煮汁が上面３１に流出したり、煮汁が上面３１を超えて筐体２に向けて流出したりすることが防止されている。なお、トッププレート３の隆起部３３は、中央凹部３２の右前部に向けて張り出すように設けられている。隆起部３３の斜面３３Ａには、点火スイッチ１１，１２の設置位置に対応する孔部３３１，３３２が設けられている。
【００２４】
中央凹部３２において、バーナ開口４１の周縁部には、五徳装着部４３が設けられている。五徳装着部４３は、トッププレート３に五徳６を配置するために設けられる部位であり、平面視略円形状に形成され（図２参照）、中央凹部３２よりも上方に膨出している（図３参照）。五徳装着部４３には、五徳６の五徳リング６Ａ（図１参照）が上方から装着される。五徳装着部４３の前側には、点火電極５４及び熱電対５５の設置位置に対応してバーナ開口４１に連続して窪み、点火電極５４及び熱電対５５を五徳装着部４３の下側から上側へ挿通させる挿通部４３１，４３２が設けられている。
【００２５】
中央凹部３２において、バーナ開口４２の周縁部には、トッププレート３に五徳８を設けるための五徳装着部４４が設けられている。五徳装着部４４は、五徳装着部４３と同様に平面視略円形状に形成され（図２参照）、中央凹部３２よりも上方に膨出している（図３参照）。五徳装着部４４には、五徳８の五徳リング８Ａ（図１参照）が上方から装着される。五徳装着部４４の前側には、点火電極７４の設置位置に対応してバーナ開口４２に連続して窪む挿通部４４１が設けられている。五徳装着部４４の右側には、熱電対７５の設置位置に対応してバーナ開口４２に連続して窪む挿通部４４２が設けられている。なお、右バーナ７が左バーナ５よりも小型に形成されていることから、バーナ開口４２及び五徳装着部４４は、バーナ開口４１及び五徳装着部４３よりもひとまわり小さく形成されている。
【００２６】
前述の上り面部３５は、中央凹部３２の後方に設けられている。上り面部３５は、中央凹部３２との境目である前端３５１から後方に向けて延びている。上り面部３５の後端３５２は、トッププレート３において最も上方に位置する。複数のグリル排気孔９Ａは、上り面部３５の前部に配列されている。
【００２７】
上り面部３５の後方には、下り面部３６が設けられている。下り面部３６は、上り面部３５の後端３５２からトッププレート３の後端３８にかけて、上り面部３５に比較して急勾配で下る面部であり、トッププレート３の後端部を構成する。下り面部３５には、左右に延びる略長方形状の孔部である吸気孔９Ｂが、複数配列されている。吸気孔９Ｂは、燃料ガスの燃焼に必要な空気を筐体２の内部に取り込むことができる。
【００２８】
下り面部３６の左右の端部のそれぞれには、前述の固定部３９が設けられている。固定部３９は、下り面部３６の上面を後方側からえぐるような形状に形成された、下り面部３６の上面に対して下方に窪んだ部位である。図４に示すように、固定部３９は、下面部３９１、ねじ孔３９１Ａ、壁部３９２を備えている。下面部３９１は、固定部３９の下部において前後方向に略水平に延びる面部である。ねじ孔３９１Ａは、下面部３９１の略中央に設けられており、下面部３９１を上下方向に貫通している。壁部３９２は、下面部３９１の前側から下り面部３６の上面に向けて上方に延びる部分である。壁部３９２は、下面部３９１の前側を取り囲むようにして下面部３９１に対して立設されている。
【００２９】
左バーナ５及び右バーナ７において燃料ガスが燃焼されると、炎口５２，７２に火炎が形成され、火炎による熱が発生する。発生した熱は、バーナヘッド５１，７１に近接するバーナ開口４１，４２及び五徳装着部４３，４４を介して、トッププレート３の全体に伝導する。本実施形態のように、トッププレート３が板金で構成されている場合、温度が上昇した板金が熱膨張すること等により、トッププレート３に若干の変形が生ずることがある。例えば、トッププレート３の端部が他の部分に対して反り上がるような変形が生ずる可能性がある。本実施形態では、トッププレート３の後端部である下り面部３６の左右の端部に固定部３９が設けられているので、固定部３９が設けられているトッププレート３の端部が反り上がることが防止され、トッププレート３は変形し難くなる。したがって、こんろ１は、下り面部３６の左右の端部に固定部３９を設けることで、トッププレート３が火炎の熱の影響を受けても、トッププレート３の変形を防ぐことができる。これにより、バーナヘッド５１，７１及び炎口５２，７２がトッププレート３よりも上方の位置に保たれるので、使用者１００（図６参照）は、安全にこんろ１を使用できる。
【００３０】
図５を参照して、トッププレート３の上り面部３５及び下り面部３６の詳細構造について説明する。上り面部３５は、前端３５１から後端３５２に向かうにつれて斜め上方に向けて上る曲面で形成されている。上り面部３５の前後方向の長さである前端３５１から後端３５２までの長さはＬ１である。
【００３１】
直線Ｆは、中央凹部３２の上面の位置を示している。本実施形態では、こんろ１の組み込まれるキャビネット１０１（図６参照）の上面が水平な場合、中央凹部３２の上面が水平に延びるように形成されている。すなわち、直線Ｆは、水平方向に延びる直線である。上り面部３５の直線Ｆに対する傾斜角は、前端３５１から後端３５２にかけて、所定のピッチで徐々に大きくされている。このため、上り面部３５は、前端３５１から後端３５２に向かうにつれて、直線Ｆに対する傾斜角が徐々に大きくなる。具体的には、上り面部３５のうち前端３５１に近接する部分Ｇにおける直線Ｆに対する傾斜角αは非常に小さく、部分Ｇにおける上り面部３５の接線は、直線Ｆに沿うように非常に緩やかに傾斜している。これに対して、上り面部３５のうち後端３５２に近接する部分Ｈにおける直線Ｆに対する傾斜角βは部分Ｇにおける傾斜角αよりも大きく、部分Ｈにおける上り面部３５の接線は、部分Ｇにおける接線に比較して急勾配である。このように、上り面部３５は、中央凹部３２に連結する前端３５１及びその近傍においては非常に緩やかに傾斜するとともに、前端３５１から後端３５２に向かうにつれて、中央凹部３２の上面に対して迫り上がる。上り面部３５の後端３５２は、トッププレート３における最も高い位置に到達する。
【００３２】
こんろ１は、上り面部３５をこのように形成することで、こんろ１を前側から見た使用者１００（図６参照）に、上り面部３５が設けられているトッププレート３の後部がこんろ１の後方に向けて斜め上方に広がるように延びている印象を与えることができる。これにより、こんろ１は、上り面部３５を設けない場合に比較して、使用者１００に対して、トッププレート３の前後方向の長さをより長く見せることができる。こんろ１は、このような上り面部３５をトッププレート３に設けることで、左右方向においてコンパクトに形成されているこんろ１に、前後方向に長さを有している印象を与えることができる。特に、こんろ１は、水平方向に延びる中央凹部３２の後側に、このような上り面部３５が設けているので、中央凹部３２が水平に延びている状態と、上り面部３５が後方に延びている状態とが対比され、こんろ１に奥行き感が効果的に与えられる。この点、上り面部３５のうち使用者１００に近い側の前端３５１及びその近傍が非常に緩やかな傾斜を有しているので、上り面部３５の後端３５２及びその近傍が迫り上がるように形成されても、上り面部３５を設けることに起因する圧迫感が軽減される。したがって、こんろ１は、こんろ１がコンパクトに形成されていても、こんろ１に奥行き感を与え、使用者１００がこんろ１を使用する際に圧迫感を感じ難くさせることができる。
【００３３】
中央凹部３２の上面と、上り面部３５の前端３５１とをつなぐ部分３２１は、円弧状に形成されている。部分３２１によって、中央凹部３２と上り面部３５の前端３５１とが滑らかに接続されているので、上り面部３５が中央凹部３２に連続してこんろ１の後方に向けて広がっている印象が強められる。これにより、こんろ１は、使用者１００（図６参照）に、トッププレート３の前後方向の長さをより長く見せることができる。
【００３４】
下り面部３６は、上り面部３５の後端３５２からトッププレート３の後端３８にかけて延びており、その前後方向の長さはＬ２である。本実施形態においては、Ｌ１が、Ｌ２よりも長くなるように、上り面部３５及び下り面部３６が形成されている。このため、こんろ１を前側から見たときに、上り面部３５が、下り面部３６よりも使用者１００の視界において、より大きな領域を占めることとなる。また、下り面部３６の勾配は、上り面部３５の勾配よりも急であるので、こんろ１を前側から見たときに、下り面部３６が上り面部３５の後方に隠れやすい。この結果、上り面部３５に対して下り面部３６が使用者１００から視認されにくくなる。
【００３５】
本実施形態では、このような下り面部３６に、前述の固定部３９を設けている。このため、トッププレート３に固定部３９が設けられていることが、使用者１００に意識されにくくなる。また、固定部３９は、下り面部３６の左右の両端に設けられている。こんろ１の使用者は、被加熱物を扱う場合には、被加熱物の他、左バーナ５及び右バーナ７が設けられている中央凹部３２を主に注視するので、下り面部３６の左右の端部に対して使用者１００の意識が向かいにくい。
【００３６】
本実施形態では、固定部３９の下部を形成する下面部３９１の前側に、壁部３９２が設けられている。このため、こんろ１を前側から見たときに、仮に下面部３９１の一部が使用者１００の視界に入ったとしても、下面部３９１及び下面部３９１に設けられているねじ孔３９１Ａが、壁部３９２の後方に陰になって隠れやすくなる。よって、トッププレート３を筐体２に対してねじ止めするねじも、使用者１００から視認され難くなる。このため、本実施形態におけるトッププレート３のように、トッププレート３の全体が一体成型されているような場合であっても、固定部３９のねじ孔３９１Ａに螺合されるねじが目立ちにくい。したがって、固定部３９及び固定部３９に螺合されるねじによって、こんろ１の美観が低下することが防止される。なお、このような下り面部３６に前述の吸気孔９Ｂが設けられるので、こんろ１は、こんろ１を前側から見たときに、吸気孔９Ｂを目立ちにくくできる。これにより、こんろ１の美観が更に向上する。
【００３７】
図６を参照して、標準的な身長の使用者１００によってこんろ１が実際に使用される場面について説明する。なお、図６では、被加熱物の図示を省略している。使用者１００は、こんろ１の前側に立って、こんろ１を使用する。左バーナ５及び右バーナ７を用いた加熱調理等を行う使用者１００は、左バーナ５及び右バーナ７の火力等の燃焼状態、又は左バーナ５及び右バーナ７によって加熱される被加熱物の状態等に主に視線を向けるが、トッププレート３の後方へ視線を向けることもある。
【００３８】
ここで、水平方向に対する下り面部３６の傾きを、直線Ｐで示す。また、トッププレート３の後方において最も高い部分である上り面部３５の後端３５２を見た場合の使用者１００の視線の例を、直線Ｑで示す。水平方向に対する直線Ｑの傾きは、水平方向に対する直線Ｐの傾きよりも緩やかである。直線Ｐの勾配と直線Ｑの勾配とがこのような関係にある場合、使用者１００の視界に下り面部３６が入らない。このような場合、使用者１００は、上り面部３５の後端３５２をトッププレートの後端部であるように認識しやすい。すなわち、上り面部３５よりも後方に下り面部３６が設けられていることが、使用者１００に意識され難くなる。このため、下り面部３６に固定部３９が設けられていることが、使用者１００の意識に上りにくくなる。したがって、トッププレート３に固定部３９を設けても、こんろ１の美観が損なわれることがない。
【００３９】
上り面部３５は、こんろ１の前側から後方に向けて、弧を描くように斜め上方に延びるなだらかな曲面である。上り面部３５をこんろ１の後方に向けて伸ばすことで、こんろ１は、使用者１００に対してこんろ１の使用において圧迫感を感じさせにくくなる。よって、使用者１００は、こんろ１を快適に使用できる。また、前端３５１から後端３５２に向かうほど、直線Ｆ（図５参照）に対する勾配を増すようにして、なだらかに形成された上り面部３５は、無機的になりがちなこんろ１の形状に丸みを与え、こんろ１の美観を向上できる。こんろ１は、このように形成された上り面部３５に使用者１００の視線を集めることで、こんろ１の美観の低下を更に防止できる。
【００４０】
また、図示しないが、例えば使用者１００の身長が標準よりも高い場合には、上り面部３５の後端３５２へ向かう使用者１００の視線の勾配が、直線Ｐの勾配よりも急なときがある。このようなときでも、前述したように、固定部３９の下面部３９１及びねじ孔３９１Ａは、こんろ１の前側からは、固定部３９の壁部３９２の後方に隠れて見えにくくなるので（図５参照）、固定部３９自体が下り面部３６において目立ちにくい。したがって、使用者１００は固定部３９を意識し難いので、トッププレート３に固定部３９が設けられていても、固定部３９によってこんろ１の美観が損なわれにくい。
【００４１】
以上説明したように、こんろ１のトッププレート３の上面３１には、中央凹部３２、上り面部３５及び下り面部３６が設けられている。上り面部３５は、中央凹部３２の後方において斜め上方に傾斜して設けられている。上り面部３５の更に後方には、上り面部３５の後端３５２からトッププレート３の後端３８に向けて下る下り面部３６が設けられている。このため、こんろ１の前方に立ってこんろ１を使用する使用者１００の視線（直線Ｑ、図６参照）において、下り面部３６は、上り面部３５の後方に隠れ、使用者１００の視界に下り面部３６が入りにくくなる。このような使用者１００の視界に入りにくい下り面部３６に固定部３９が設けられているので、固定部３９の存在が使用者１００に意識され難い。したがって、こんろ１は、トッププレート３に固定部３９を設けても、こんろ１の美観が損なわれることを防止できる。
【００４２】
こんろ１において、固定部３９は、下り面部３６の左右の端部のそれぞれに設けられている。こんろ１の使用者１００は、被加熱物を扱う場合には、被加熱物の他、左バーナ５及び右バーナ７が設けられている中央凹部３２を主に注視するので、下り面部３６の左右の端部に対して使用者１００の意識が向かいにくい。このようにして、こんろ１は、使用者１００に固定部３９の存在を気づかせにくくできる。また、固定部３９がトッププレート３の後端部を形成する下り面部３６の左右の端部に少なくとも設けられている。これにより、左バーナ５及び右バーナ７に生じた火炎による熱の影響を受けたトッププレート３の端部が反り上がる等、トッププレート３の変形が防止されるので、こんろ１の安全性が保たれる。
【００４３】
こんろ１において、上り面部３５の前後方向の長さであるＬ１が、下り面部３６の前後方向の長さであるＬ２よりも長くなるように、上り面部３５及び下り面部３６が形成されている。このため、下り面部３６よりも上り面部３５が、使用者１００の視界において、より大きな領域を占めることとなる。この結果、上り面部３５に対して下り面部３６が使用者１００から視認されにくくなるので、下り面部３６に設けられた固定部３９の存在が、使用者１００に意識されにくくなる。したがって、固定部３９によってこんろ１の美観が低下することが防止される。
【００４４】
上り面部３５は、中央凹部３２との境目である前端３５１から後端３５２に向かうにつれて、中央凹部３２の上面に対する傾斜角が徐々に大きくなるように、斜め上方に傾斜している。このように形成された上り面部３５には、こんろ１の後方に向かう使用者１００の視線を集めやすい。また、上り面部３５の後端３５２が、上り面部３５において中央凹部３２の上面に対して最も高い部分となるので、上り面部３５よりも後方に配置される下り面部３６及び下り面部３６に設けられている固定部３９が、上り面部３５に対して目立ちにくくなる。したがって、上り面部３５の形状によってこんろ１の美観が高められるとともに、固定部３９によってこんろ１の美観が低下されることが防止される。
【００４５】
本実施形態において、こんろ１が、本発明の「こんろ」に相当する。筐体２が、本発明の「筐体」に相当する。トッププレート３が、本発明の「天板」に相当する。左バーナ５及び右バーナ７が、本発明の「バーナ」に相当する。バーナ開口４１，４２が、本発明の「バーナ開口」に相当する。中央凹部３２が、本発明の「平面部」に相当する。上り面部３５が、本発明の「上り面部」に相当する。後端３５２が、本発明の「上り面部の後端」に相当する。後端３８が、本発明の「天板の後端」に相当する。下り面部３６が、本発明の「下り面部」に相当する。固定部３９が、本発明の「固定部」に相当する。Ｌ１が、本発明の「上り面部の前後方向の長さ」に相当する。Ｌ２が、本発明の「下り面部の前後方向の長さ」に相当する。
【００４６】
なお、本発明は上記実施形態に限定されるものではなく、種々の変更が可能である。例えば、上り面部３５の形状は、上記実施形態に示す曲面に限られず、種々に変更できる、いか、本発明の変形例について説明する。
【００４７】
図７を参照して、本発明の変形例について説明する。変形例として、上記実施形態の上り面部３５が、第一斜面部３５３と第二斜面部３５４とによって構成された例について説明する。中央凹部３２、下り面部３６等の、トッププレート３における他の構成は、上記実施形態と同様であるので、説明を省略する。
【００４８】
変形例の上り面部３５における第一斜面部３５３は、上り面部３５の前端３５１から、上り面部３５の前端３５１と後端３５２との間の位置である中間点３５５との間をつなぐ斜面である。変形例において、第一斜面部３５３は、直線Ｆに対して所定の傾斜角で傾斜する平面である。また、第二斜面部３５４は、中間点３５５と後端３５２との間をつなぐ斜面である。変形例において、第二斜面部３５４は、第一斜面部３５３よりも直線Ｆに対する傾斜角が大きな平面である。第一斜面部３５３と第二斜面部３５４とは、中間点３５５を境界として前後方向に連結されている。このため、中間点３５５において、上り面部３５の傾斜角が、所定の傾斜角から、より大きな傾斜角に切り替わる。このように上り面部３５が構成されていても、上り面部３５の直線Ｆに対する傾斜角が段階的に切り替わることで、上り面部３５は、前端３５１から後端３５２に向かうにつれて、中央凹部３２の上面に対して迫り上がる。したがって、上り面部３５の後端３５２が、トッププレート３における最も高い位置に位置することとなるので、変形例における上り面部３５は、上記実施形態における上り面部３５と同様の効果を発揮できる。なお、中間点３５５の位置は、図７に示すよりも前端３５１に近接していてもよいし、図７に示すよりも後端３５２に近接していてもよい。
【００４９】
このように、上り面部３５は、上記実施形態のように曲面で形成されている構成に限られず、変形例の第一斜面部３５３及び第二斜面部３５４のように、複数の平面を組み合わせて形成されていてもよい。また、上り面部３５が一つの平面による斜面として形成されていてもよい。また、上り面部３５が、変形例の第一斜面部３５３と、第一斜面部３５３の後方において中間点３５５と後端３５２との間をつなぐ曲面とによって形成される等、平面と曲面とを組み合わせて形成されていてもよい。また、変形例では、第一斜面部３５３及び第二斜面部３５４の二つの斜面部を前後に連結することによって上り面部３５が構成されているが、この他、三つ以上の斜面部が前後方向に連結されて上り面部３５が構成されていてもよい。すなわち、上り面部３５の傾斜角が段階的に切り替わる箇所が、上り面部３５に複数設けられてもよい。また、他の例では、上り面部３５が、階段状に構成されていてもよい。
【００５０】
また変形例において、第一斜面部３５３が所定の曲率半径で円弧状に形成された曲面であり、第二斜面部３５４が、第一斜面部３５３の曲率半径よりも小さな曲率半径に形成された曲面であってもよい。この場合であっても、第一斜面部３５３及び第二斜面部３５４の二つの斜面部を前後に連結することによって、上り面部３５の直線Ｆに対する傾斜角が、段階的に大きくなる。
【００５１】
なお、本発明は、上記の実施形態および変形例に限定されるものではなく、種々の変更が可能である。例えば、トッププレート３は、板金製であることに限られず、例えばガラス等の他の材料で構成されていてもよい。また、上記実施形態では、トッププレート３の全体が一体に成型されているが、これに限られず、トッププレート３の各部が別体に成型されていてもよい。
【００５２】
上記実施形態において、固定部３９は、筐体２に対するねじ止め部分を構成しているが、固定部３９はこれに限られず、トッププレート３を筐体２の上部に固定するための部分であればよい。例えば、固定部３９が、所定のピンを用いて筐体２に対してトッププレート３を固定するための部分であってもよい。また、例えば、固定部３９自体が下方に突出した形状に形成されており、筐体２の開口部に設けられた凹部に固定部３９が嵌めこまれることで、トッププレート３が筐体２に対して固定される構成であってもよい。
【００５３】
上記実施形態では、固定部３９は、トッププレート３の変形を効果的に防止するために、変形が生じることの想定される下り面部３６の左右の端部に設けられているが、この他、下り面部３６の左右方向における間の位置に、固定部３９が設けられてもよい。また、このような、下り面部３６の左右方向における間の位置に、固定部３９が複数設けられてもよい。この場合であっても、固定部３９が下り面部３６に設けられていれば、こんろ１の使用者１００から固定部３９の存在が意識されにくいので、こんろ１の美観が低下し難い。また、固定部３９の個数を増やすことで、トッププレート３が、より強固に筐体２に固定される。
【００５４】
グリル排気孔９Ａは、必ずしも上り面部３５に設けられなくてもよく、例えば下り面部３６にグリル排気孔９Ａが設けられてもよい。また、吸気孔９Ｂは、必ずしも下り面部３６に設けられなくてもよく、例えば上り面部３５に吸気孔９Ｂが設けられてもよい。また、グリル排気孔９Ａが吸気孔９Ｂのように吸気の用途をなしてもよいし、吸気孔９Ｂが、グリル排気孔９Ａのように排気の用途をなしてもよい。また、上り面部３５及び下り面部３６に、グリル排気孔９Ａ及び吸気孔９Ｂが一切設けられない構成であってもよい。
【００５５】
上記実施形態では、トッププレート３に中央凹部３２が設けられているが、トッププレート３に中央凹部３２が設けられていなくてもよい。言い換えると、トッププレート３の上面３１においてバーナ開口４１，４２が設けられる部分が、上面３１に対して一段下方に窪んでいなくてもよい。すなわち、バーナ開口４１，４２が設けられる部分を含む上面３１が、トッププレート３において同じ高さで延びていてもよい。この場合であっても、バーナ開口４１，４２が設けられる部分よりも後方に上り面部３５が設けられ、上り面部３５の更に後方に下り面部３６が設けられることで、上記実施形態と同様の効果が発揮される。
【００５６】
こんろ１は、左バーナ５及び右バーナ７よりも下方にグリル庫が設けられているが、こんろ１にグリル庫が設けられていなくてもよい。この場合、こんろ１が、上下方向においてもコンパクトに形成される。
【００５７】
左バーナ５及び右バーナ７に点火するための手段は、上記実施形態の点火電極５４，７４に限られず、燃料ガスを含む混合気に点火可能なヒータ等であってもよい。また、上記実施形態は、ガスこんろ１であるが、例えば石油等の液体燃料を含むその他の燃料を用いる種々のこんろであってもよい。
【符号の説明】
【００５８】
１    こんろ
２    筐体
３    トッププレート
５    左バーナ
７    右バーナ
３２    中央凹部
３５    上り面部
３６    下り面部
３８    後端
３９    固定部
４１，４２    バーナ開口
３５２    後端
【図１】
0006709614.tif 000002
【図２】
0006709614.tif 000003
【図３】
0006709614.tif 000004
【図４】
0006709614.tif 000005
【図５】
0006709614.tif 000006
【図６】
0006709614.tif 000007
【図７】
0006709614.tif 000008